(57)【要約】【課題】キーを照光するキーバックライトの発光だけで、ユーザに情報を通知することができる携帯電話機を提供する。【解決手段】携帯電話機は、複数の操作キー３１，３２のそれぞれに対応して設けられ、それぞれの操作キー３１，３２を照光するキーバックライト発光部４１，４２と、キーバックライト発光部４１，４２に対して点灯色を指示する制御信号を出力する制御部５とを備え、キーバックライト発光部４１，４２は、それぞれ、発色が異なる複数の発光素子４１１，４２１と、制御部５からの制御信号に応じて複数の発光素子４１１，４２１の点灯制御を行う点灯制御部４１２，４２２とを含み、制御部５は、１つまたは複数の操作キーに対応するキーバックライト発光部に特定色で点灯させる制御信号を出力し、特定色で点灯させるキーバックライト発光部以外のキーバックライト発光部に、特定色以外の色で点灯させる制御信号を出力する。【選択図】図１３
2010041518.tif 000002
【特許請求の範囲】
【請求項１】
複数の操作キーのそれぞれに対応して設けられ、それぞれの操作キーを照光するキーバックライト発光部と、
前記キーバックライト発光部に対して点灯色を指示する制御信号を出力する制御部とを備え、
前記キーバックライト発光部は、それぞれ、発色が異なる複数の発光素子と、前記制御部からの制御信号に応じて複数の発光素子の点灯制御を行う点灯制御部とを含み、
前記制御部は、１つまたは複数の操作キーに対応するキーバックライト発光部に特定色で点灯させる制御信号を出力し、特定色で点灯させるキーバックライト発光部以外の前記キーバックライト発光部に、特定色以外の色で点灯させる制御信号を出力する
ことを特徴とするキーバックライトを備えた携帯電話機。
【請求項２】
制御部は、特定の情報が表示されている操作キーを照光するキーバックライト発光部に、前記特定の情報に関する事象が生じた場合に、特定色で点灯させる制御信号を出力する
請求項１記載のキーバックライトを備えた携帯電話機。
【請求項３】
制御部は、特定の情報が表示されている操作キーを照光するキーバックライト発光部と、その操作キーの近傍に設置されている操作キーを照光するキーバックライト発光部とに、前記特定の情報に関する事象が生じた場合に、第２の特定色で点灯させる制御信号を出力する
請求項１記載のキーバックライトを備えた携帯電話機。
【請求項４】
制御部は、所定時間が経過する毎に、所定時間が経過する前に第２の特定色で点灯させる制御信号を出力したキーバックライト発光部の個数よりも多い個数のキーバックライト発光部に、第２の特定色で点灯させる制御信号を出力する
請求項３記載のキーバックライトを備えた携帯電話機。
【請求項５】
操作キーに表示されている特定の情報は、電子メールを示す情報である。
請求項２から請求項４のうちのいずれか１項に記載のキーバックライトを備えた携帯電話機。
【請求項６】
制御部は、数字が表示されている操作キーを照光するキーバックライト発光部に特定色で点灯させる制御信号を出力し、所定時間経過後に、他の数字が表示されている操作キーを照光するキーバックライト発光部に特定色で点灯させる制御信号を出力する
請求項１から請求項５のうちのいずれか１項に記載のキーバックライトを備えた携帯電話機。
【請求項７】
制御部は、時刻情報または数値情報に対応する数字が表示されている操作キーを照光するキーバックライト発光部に特定色で点灯させる制御信号を出力する
請求項６記載のキーバックライトを備えた携帯電話機。
【請求項８】
複数の操作キーのそれぞれに対応して設けられ、それぞれの操作キーを照光するキーバックライト発光部を備え、キーバックライト発光部が、それぞれ、発色が異なる複数の発光素子と複数の発光素子の点灯制御を行う点灯制御部とを含む携帯電話機で実行されるキーバックライトを用いた情報通知方法であって、
１つまたは複数の操作キーに対応するキーバックライト発光部を特定色で点灯させ、
特定色で点灯させるキーバックライト発光部以外の前記キーバックライト発光部を、特定色以外の色で点灯させる
ことを特徴とするキーバックライトを用いた情報通知方法。
【請求項９】
特定の情報が表示されている操作キーを照光するキーバックライト発光部を、前記特定の情報に関する事象が生じた場合に特定色で点灯させる
請求項８記載のキーバックライトを用いた情報通知方法。
【請求項１０】
数字が表示されている操作キーを照光するキーバックライト発光部を特定色で点灯させ、所定時間経過後に、他の数字が表示されている操作キーを照光するキーバックライト発光部を特定色で点灯させる
請求項８または請求項９記載のキーバックライトを用いた情報通知方法
【発明の詳細な説明】
【技術分野】
【０００１】
本発明は、キーを照光するキーバックライトを備えた携帯電話機およびキーバックライトを用いた通知方法に関する。
【背景技術】
【０００２】
携帯電話機の高機能化に伴って様々な機能が搭載される一方で、筐体デザイン、画像、メロディなどユーザの嗜好に合わせたデザインや機能も近年必要とされている。携帯電話機からユーザへの情報の通知方法は、液晶画面などの表示器を介して行われているが、表示器には様々な情報が表示提供されるため、液晶画面を介する通知以外の工夫が必要である。しかし、携帯電話機において、液晶画面以外の通知として使用可能な発光素子は、着信用ＬＥＤや、筐体外側に配置されるＬＥＤなどに限られている。また、キーを照光するために実装されるキーバックライトは、キー全面、またはその一部を単色で点灯させるにすぎない。
【０００３】
携帯端末装置において、ユーザに情報を通知する光の方法として、液晶画面における発色とキーバックライトの発色とを一致させて、ユーザを目的の機能に誘導する先行技術がある（例えば、特許文献１参照）。特許文献１に記載された方法では、イベントに関連する色値を決定し、決定した色値で液晶画面上において表示を行い、同時にキーバックライトも同色で発光させることによって、ユーザに色からイベントを意識させ、液晶画面に表示されたイベントへの誘導を行う。
【０００４】
【特許文献１】特開２００５−２６７６２９号公報（段落０００４−０００６、図７）
【発明の開示】
【発明が解決しようとする課題】
【０００５】
しかし、特許文献１に記載された方法では、キーバックライトの発光によって液晶画面に表示されたイベントへの誘導を行うので、ユーザは、最終的には液晶画面表示を確認する必要がある。すなわち、ユーザがキーバックライトの発光状態だけでイベントに関する詳細情報を得ることは難しい。
【０００６】
そこで、本発明は、キーを照光するキーバックライトの発光だけで、ユーザに情報を通知することができるキーバックライトを備えた携帯電話機およびキーバックライトを用いた情報通知方法を提供することを目的とする。
【課題を解決するための手段】
【０００７】
本発明によるキーバックライトを備えた携帯電話機は、複数の操作キーのそれぞれに対応して設けられ、それぞれの操作キーを照光するキーバックライト発光部と、キーバックライト発光部に対して点灯色を指示する制御信号を出力する制御部とを備え、キーバックライト発光部は、それぞれ、発色が異なる複数の発光素子と、制御部からの制御信号に応じて複数の発光素子の点灯制御を行う点灯制御部とを含み、制御部は、１つまたは複数の操作キーに対応するキーバックライト発光部に特定色で点灯させる制御信号を出力し、特定色で点灯させるキーバックライト発光部以外のキーバックライト発光部に、特定色以外の色で点灯させる制御信号を出力することを特徴とする。
【０００８】
本発明によるキーバックライトを用いた情報通知方法は、複数の操作キーのそれぞれに対応して設けられ、それぞれの操作キーを照光するキーバックライト発光部を備え、キーバックライト発光部が、それぞれ、発色が異なる複数の発光素子と複数の発光素子の点灯制御を行う点灯制御部とを含む携帯電話機で実行されるキーバックライトを用いた情報通知方法であって、１つまたは複数の操作キーに対応するキーバックライト発光部を特定色で点灯させ、特定色で点灯させるキーバックライト発光部以外のキーバックライト発光部を、特定色以外の色で点灯させることを特徴とする。
【発明の効果】
【０００９】
本発明によれば、キーを照光するキーバックライトの発光だけで、ユーザに情報を通知することができるキーバックライトを備えた携帯電話機およびキーバックライトを用いた情報通知方法の提供を実現できる。
【発明を実施するための最良の形態】
【００１０】
図１は、本発明による携帯電話機の一実施形態における回路構成の要部を示すブロック図である。
【００１１】
携帯電話機１００は、ＣＰＵ１０、ＲＯＭ１１、ＲＡＭ１２、無線機送受信部１３、キーバックライト１４、キー入力部１５、表示制御部１６、表示部１７、マイクロフォン１８、スピーカ１９およびレシーバ２０を備えている。表示部１７を除く各要素は、バス３０を介してＣＰＵ１０と接続されている。液晶表示素子を用いた表示部１７は、バス３０を介して表示制御部１６と接続されている。
【００１２】
ＣＰＵ１０は、携帯電話機１００を用いた通話やデータ送受信に関する制御を行うが、さらに、キーバックライト制御、省電力制御、メロディ音の鳴音制御などの各種制御を行う。ＲＯＭ１１は、ＣＰＵ１０が各種の制御を実行するために使用する制御プログラムや、固定のメロディデータを格納している。
【００１３】
ＲＡＭ１２は、使用者が入力したデータの保存や、ダウンロードしたデータの保存に使用されるメモリである。また、ＲＡＭ１２は、インターネットにアクセスした際のデータを一時的に保存するメモリ、または作業用のメモリとしても使用される。
【００１４】
無線機送受信部１３は、無線通信によってデータの送受信を行う回路である。
【００１５】
キーバックライト１４は、キー入力部１５が入力を受け付けるテンキー（数字キー）、機能キーおよび携帯電話機１００を折りたたんだ際に携帯電話機１００の外側に配置されるキーなどの各種キーを照光する。すなわち、キーバックライト１４は、例えば一部または全てに透過性部材を用いた各種キーの裏側、直下または近傍に設置され、各種キーを照光して、キーを目立たせる。また、キーバックライト１４は、キーバックライトＬＥＤおよびＲＧＢ制御部を含む。
【００１６】
キー入力部１５は、テンキー、機能キーおよび携帯電話機１００の筐体外側に配置されるキーといった各種のキーにおいて、ユーザからの入力操作が行われた場合に入力信号を受け付ける入力回路である。
【００１７】
表示制御部１６は、主に液晶画面である表示部１７における表示を制御する制御回路である。
【００１８】
マイクロフォン１８、スピーカ１９およびレシーバ２０は、通話を行う際に使用する音響部品である。ユーザは、マイクロフォン１８によって送話者の音声を入力し、スピーカ１９またはレシーバ２０は、相手話者の音声や呼び出し音を出力する。
【００１９】
本発明の要部となるキーバックライト１４について、詳しく説明する。
【００２０】
図２は、開いた状態における折り畳み型の携帯電話機の外観を示す説明図である。テンキーや機能キーなどの位置が示されている。
【００２１】
図３は、キーバックライトＬＥＤの実装位置の一例が明示された携帯電話機の外観を示す説明図である。キーバックライトＬＥＤ２０１は、携帯電話機１００の全てのボタン、もしくは任意のボタン（キー）の直下または近接した場所に配置されるＬＥＤチップである。本実施形態においては、図３に示すように、横３列かつ縦７列の２１か所に２１個のキーバックライトＬＥＤ２０１が実装されている。本明細書において、特定のキーを照らすキーバックライトＬＥＤ２０１を発光させる場合には、例えば「数字キー［１］のキーバックライトＬＥＤ２０１を点灯させる」と表現する。なお、この場合には、数字キー［１］が特定のキーに相当する。また、２１個のキーバックライトＬＥＤ２０１をまとめて発光させる場合には、「キーバックライト１４を点灯させる」と表現する。
【００２２】
キーバックライトＬＥＤ２０１は、Ｒ，Ｇ，Ｂの３種の発光素子によってＲＧＢ化されている。また、キーバックライトＬＥＤ２０１とＲＧＢ制御部とは、１対１の組み合わせで存在する。キーバックライト１４は、図３に示される携帯電話機１００において、ＲＧＢ化されたキーバックＬＥＤ２０１およびＲＧＢ制御部の組み合わせ（ＲＧＢセット）を２１組含むものである。そして、それぞれのＲＧＢセットで個別に制御した色で点灯することができる。すなわち、キーバックライト１４は、２１組の全ＲＧＢセットを同色で点灯させるだけでなく、ＲＧＢセットごとに２１種類もの異なった色で点灯させることもできる。
【００２３】
図４は、本実施形態におけるライト２０２の構成の一例を示す説明図である。ライト２０２は、ＲＧＢ化されたキーバックライトＬＥＤ２０１の要部である。ライト２０２は、Ｒ，Ｇ，Ｂそれぞれの発光素子を備え、各発光素子は、ＲＧＢ制御部（図示せず）に接続される。ＲＧＢ制御部は、ライト２０２に内蔵され、各発光素子の点灯／消灯を制御する。
【００２４】
以下、キーバックライトＬＥＤ２０１を用いた情報通知方法を説明する。図５は、本発明の実施形態における実施の一例であるアラーム動作における処理について示したフローチャートである。図５のフローチャートを参照して、アラーム動作における処理を説明する。
【００２５】
キーバックライト１４において特定のキーバックライトＬＥＤ２０１以外のキーバックライトＬＥＤ２０１は、白色で点灯するように設定されているとする。また、キーバックライト１４において、アラーム鳴動設定時刻の５分前になると、特定の数字キーのキーバックライトＬＥＤ２０１のみが、白色と異なる色、例えば赤色で点灯するように設定されているとする。
【００２６】
携帯電話機１００の表示部１７における液晶画面には、待ち受け状態において、例えば、時刻を示す時計およびユーザの好みで設定される画像が表示されている。待ち受け状態において、ユーザがアラーム機能起動のための所定のキー操作を行うと、ＣＰＵ１０は、キー入力部１５からキー操作の内容を入力し、アラーム機能を起動する（ステップＳ１）。アラーム機能を起動した時刻は、１１：５４よりも前であるとする。
【００２７】
ユーザが所定のキー操作を行って１２：００にアラーム鳴動が行われるように入力すると、ＣＰＵ１０は、キー入力部１５からキー操作の内容を入力し、アラーム鳴動の設定を行う（ステップＳ２）。
【００２８】
ＣＰＵ１０は、１１：５５になったかどうかを判定する（ステップＳ３）。１１：５５になるまでは、待ち受け状態のまま（具体的には、待ち受け状態においてアラーム動作しない状態で、かつ、キーバックライト１４の点灯状態が変化しない状態のまま）であり（ステップＳ４）、ステップＳ３の処理を続行する。
【００２９】
ステップＳ３においてＣＰＵ１０が１１：５５になったと判定した場合には、ＣＰＵ１０は、キーバックライト１４に制御信号を送る（ステップＳ５）。制御信号の内容は、数字キー［５］のキーバックライトＬＥＤ２０１以外のキーバックライトＬＥＤ２０１を白色点灯させ、数字キー［５］のキーバックライトＬＥＤ２０１だけを赤色点灯させることである。また、ＣＰＵ１０は、キーバックライト１４を６０秒以内の任意の設定時間（例えば３０秒）の間、点灯させる。キーバックライト１４におけるそれぞれのキーバックライトＬＥＤ２０１（具体的にはライト２０２）において、ＲＧＢ制御部は、制御信号に従ってＲ，Ｇ，Ｂの発光素子を制御する。
【００３０】
次いで、ＣＰＵ１０は、１１：５６になったかどうかを判定する（ステップＳ６）。１１：５６になるまでは、待ち受け状態のままであり（ステップＳ７）、ステップＳ６の処理を続行する。
【００３１】
ステップＳ６においてＣＰＵ１０が１１：５６になったと判定した場合には、ＣＰＵ１０は、キーバックライト１４に制御信号を送る（ステップＳ８）。制御信号の内容は、数字キー［４］のキーバックライトＬＥＤ２０１以外のキーバックライトＬＥＤ２０１を白色点灯させ、数字キー［４］のキーバックライトＬＥＤ２０１だけを赤色点灯させることである。また、ＣＰＵ１０は、キーバックライト１４を６０秒以内の任意の設定時間（例えば３０秒）の間、点灯させる。キーバックライト１４におけるそれぞれのキーバックライトＬＥＤ２０１（具体的にはライト２０２）において、ＲＧＢ制御部は、制御信号に従ってＲ，Ｇ，Ｂの発光素子を制御する。
【００３２】
以下、ステップＳ３〜Ｓ５の処理、およびステップＳ６〜Ｓ８の処理と同様の処理に、ＣＰＵ１０は、時刻が［（１２：００−ｎ分）］の式で求められる時刻になったかどうかを判定する（ステップＳ９）。ｎは正の整数であるとする。時刻が［（１２：００−ｎ分）］の式で求められる時刻になるまでは、待ち受け状態のままであり（ステップＳ１０）、ステップＳ９の処理を続行する。
【００３３】
ステップＳ９においてＣＰＵ１０が［（１２：００−ｎ分）］の式で求められる時刻になったと判定した場合には、ＣＰＵ１０は、キーバックライト１４に制御信号を送る（ステップＳ１１）。制御信号の内容は、［（設定時間−ｎ分）］の式で求められる値に相当する数字キーのキーバックライトＬＥＤ２０１以外のキーバックライトＬＥＤ２０１を白色点灯させ、［（設定時間−ｎ分）］の式で求められる値に相当する数字キーのキーバックライトＬＥＤ２０１だけを赤色点灯させることである。また、ＣＰＵ１０は、キーバックライト１４を６０秒以内の任意の設定時間（例えば３０秒）の間、点灯させる。キーバックライト１４におけるそれぞれのキーバックライトＬＥＤ２０１（具体的にはライト２０２）において、ＲＧＢ制御部は、制御信号に従ってＲ，Ｇ，Ｂの発光素子を制御する。
【００３４】
次に、ＣＰＵ１０は、１２：００であるかどうかを判定する（ステップＳ１２）。１２：００でない場合には、ステップＳ１０に移行する。ステップＳ１２においてＣＰＵ１０が１２：００であると判定した場合は、ＣＰＵ１０は、表示制御部１６やスピーカ１９に制御信号を送り、アラーム鳴動を行わせる（ステップＳ１３）。
【００３５】
ユーザによってアラーム鳴動を停止する操作および機能を停止する操作が行われると、または携帯電話機１００に予め設定された設定に従ってアラーム機能が停止すると、待ち受け状態に戻る（ステップＳ１４）。
【００３６】
なお、特定の数字キーのキーバックライトＬＥＤ２０１は赤色点灯し、それ以外のキーバックライトＬＥＤ２０１は白色点灯する場合を例にしたが、そのような例は一例であり、他の発色の種類および点灯パターン（点灯／点滅）を選んでもよい。また、それらは、ユーザによって選択可能であってもよい。
【００３７】
図６は、情報通知方法の他の一例である通話終了後の通話時間情報を通知する方法を示すフローチャートである。図６のフローチャートを参照して、通話時間情報をキーバックライト１４で通知する処理を説明する。キーバックライト１４は、特定のキーバックライトＬＥＤ２０１以外のキーバックライトＬＥＤ２０１において白色で点灯するように設定されているとする。また、情報通知のためのキーバックライトＬＥＤ２０１（特定のキーバックライトＬＥＤ２０１）は、緑色で点灯するように設定されているとする。
【００３８】
携帯電話機１００の表示部１７における液晶画面において、時刻を示す時計およびユーザの好みで設定される画像が表示されている。待ち受け状態において、ユーザが電話発信のための所定のキー操作を行うと、ＣＰＵ１０は、キー入力部１５からキー操作の内容を入力し、無線機送受信部１３に信号を送り、所定の発信先へ電話を発信する（ステップＳ４１）。
【００３９】
ＣＰＵ１０は、電話の発信先（着信側）から応答があったか否か確認し（ステップＳ４２）、着信側が応答しなかった場合には、通話は開始されずに待ち受け状態へと戻る。着信側が応答した場合には、通話状態に移行する（ステップＳ４３）。通話が終了するまで通話状態が続く。
【００４０】
通話が終了すると、すなわち終話状態になると（ステップＳ４４）、電話通信の終了に伴う呼制御処理が行われる。そして、ＣＰＵ１０は、携帯電話機１００の液晶画面に通話時間および通話料金などの情報を表示させるとともに（ステップＳ４５）、キーバックライト１４に、通話時間を通知させる（ステップＳ４６）。
【００４１】
ステップＳ４６では、ＣＰＵ１０は、キーバックライト１４に制御信号を送る。制御信号の内容は、通話時間（例えば１０分間とする）を示す数字キーのキーバックライトＬＥＤ２０１以外のキーバックライトＬＥＤ２０１を白色点灯させ、通話時間を示す数字キーのキーバックライトＬＥＤ２０１だけを緑色点灯させることである。また、ＣＰＵ１０は、キーバックライト１４を任意の設定時間（例えば１秒）の間、点灯させる。キーバックライト１４におけるそれぞれのキーバックライトＬＥＤ２０１（具体的にはライト２０２）において、ＲＧＢ制御部は、制御信号に従ってＲ，Ｇ，Ｂの発光素子を制御する。
【００４２】
図７は、図６に示されたステップＳ４６の処理例を示す説明図である。図７において、白色で示されているキーは白色点灯しているキーバックライトＬＥＤ２０１に対応するキーを示し、斜線が施されているキー（図７（Ａ）においては［１］キー、図７（Ｂ）においては［０］キー）は白色以外の色で点灯しているキーバックライトＬＥＤ２０１に対応するキーを示す。また、図７（Ａ）〜（Ｃ）は、時間経過に伴う点灯状況の変化を示している。図７（Ａ）〜（Ｃ）に示された説明図を用いて、ステップＳ４６の処理を説明する。
【００４３】
通話時間が１０分間であった場合、ＣＰＵ１０は、キーバックライト１４に制御信号を送る。制御信号に応じて、キーバックライト１４において、最初に数字キーの［１］キーを照らすキーバックライトＬＥＤ２０１が１秒間緑色で点灯する（図７（Ａ））。次に数字キーの［０］キーを照らすキーバックライトＬＥＤ２０１が１秒間緑色で点灯する（図７（Ｂ））。次いで、全てのキーバックライトＬＥＤ２０１が１秒間白色点灯する（図７（Ｃ））。図７（Ａ）〜（Ｃ）に示される３つの点灯パターンを一連の点灯とすると、「１０」という通話時間を示す数字情報がユーザに通知される。一連の点灯は、液晶表示が行われる間、繰り返し行われる。
【００４４】
ステップＳ４５の処理による液晶画面上での情報表示およびステップＳ４６の処理による一連の点灯は、一定時間（例えば１０秒間）が経過したときに動作を終了し、携帯電話機１００は、待ち受け状態に戻る（ステップＳ４７）。
【００４５】
なお、本実施形態では、各点灯パターンにおける点灯時間を１秒間にしたが、点灯時間は他の時間であってもよく、点灯する色をユーザによって選択可能にしてもよい。さらに、キーバックライトＬＥＤ２０１を点灯させるのではなく点滅をさせてもよい。また、キーバックライトＬＥＤ２０１の点灯によって通話時間を通知したが、通話料金を通知することもできる。
【００４６】
また、図６のフローチャートでは、数字情報をユーザに視覚的に通知する例として通話時間を通知する場合を例にしたが、時計表示を行うようにしてもよい。
【００４７】
また、通話時間を通知する場合には、「１０」という数字を視覚的にユーザに通知したが、時計表示を行う場合には、例えば、１２：１５という時刻をユーザに通知する。
【００４８】
１２：１５という時刻をユーザに通知する場合には、ＣＰＵ１０は、キーバックライト１４に制御信号を送る。制御信号の内容は、全てのキーのキーバックライトＬＥＤ２０１を１秒間白色点灯させた後に、数字キー［１］，［２］，［１］，［５］それぞれののキーバックライトＬＥＤ２０１を順次１秒間ずつ緑色点灯させていき、かつ、緑色点灯させている数字キー以外のキーバックライトＬＥＤ２０１を白色点灯させることである。また、ＣＰＵ１０は、キーバックライト１４を任意の設定時間（例えば５秒）の間、点灯させる。キーバックライト１４におけるそれぞれのキーバックライトＬＥＤ２０１（具体的にはライト２０２）において、ＲＧＢ制御部は、制御信号に従ってＲ，Ｇ，Ｂの発光素子を制御する。
【００４９】
なお、全てのキーのキーバックライトＬＥＤ２０１の白色点灯から数字キー［１］，［２］，［１］，［５］のバックライトＬＥＤ２０１を順次点灯させる動作が完了するまでを１サイクルとし、複数サイクル動作させてもよい。また、全てのキーのキーバックライトＬＥＤ２０１の点灯の際に使用する白色とは異なる色を用いて、時間および分の点灯色を別にしてもよい。さらに、秒に関する情報も、キーバックライトＬＥＤ２０１を点灯させることによってユーザに通知してもよい。
【００５０】
以下、ユーザに情報を通知する処理の他の例を説明する。
【００５１】
携帯電話機１００が、省電力などを目的にして液晶画面が非表示になっている場合に、省電力動作が継続していることを示すために一般に用いられるキーバックライト１４の点滅動作の代わりに、上述したようなキーバックライトＬＥＤ２０１の点灯による時計表示を行ってもよい。
【００５２】
また、キーバックライト１４の点灯または点滅によるユーザへの通知を、携帯電話機１００に備えられたカメラおよびマイクロフォン１８による録画・録音機能を利用する場合に、携帯電話機１００に内蔵された記録媒体または外付けされた記録媒体への記録可能な時間を表示するために使用してもよい。また、携帯電話機１００の充電電池の充電中に、充電完了までにかかる時間の目安を表示するために使用してもよい。または、省電力動作が開始されるまでの時間の目安を表示するために使用してもよい。
【００５３】
また、キーバックライト１４の点灯または点滅によるユーザへの通知を、ユーザが電子メール（以下、メールという。）の操作を行っているときに未読のメール数を通知するために使用してもよく、表示部１７においてメール受信完了の表示が行われているときに、または、折り畳み構造またはスライド構造を持つ携帯電話機においてユーザが開く動作もしくはスライドさせる動作を行ったときに、新着のメール数を通知するために使用してもよい。
【００５４】
また、ユーザが着信履歴を操作しているときに、または、開く動作もしくはスライドさせる動作を行ったときに、不在着信履歴の件数を通知するために使用してもよい。
【００５５】
また、数字キーのキーバックライトＬＥＤ２０１を利用してユーザに情報を通知するだけでなく、メール作成キーや着信履歴呼び出しキーなどの記号キーのキーバックライト２０１を利用してユーザに情報を通知してもよい。以下、記号キーのキーバックライトＬＥＤ２０１を利用してユーザに情報を通知する例を説明する。
【００５６】
図８は、記号キーの位置が明示された携帯電話機の外観を示す説明図である。メールキー６１は、メールの送受信および新規作成などのメール機能の起動が割り当てられたキーである。着信履歴呼び出しキー６２は、電話の着信履歴の表示が割り当てられたキーである。発信履歴呼び出しキー６３は、電話の発信履歴の表示が割り当てられたキーである。
【００５７】
図９は、メール着信時の点灯パターンの一例を表す説明図である。図９において、白色で示されているキーのキーバックライトＬＥＤ２０１は白色点灯し、斜線が施されているキー（図９においてはメールキー６１のみ）のキーバックライトＬＥＤ２０１は白色以外の色で点灯していることを表している。
【００５８】
携帯電話機１００において、無線機送受信部１３がメールを受信すると、ＣＰＵ１０は、メール着信を示す着信音を鳴動させるとともに、表示部１７にメールの着信を示す画面表示を行わせる。このとき、ＣＰＵ１０は、キーバックライト１４に制御信号を送る。制御信号の内容は、メールキー６１のキーバックライトＬＥＤ２０１以外のキーバックライトＬＥＤ２０１を白色点灯させ、メールキー６１のキーバックライトＬＥＤ２０１だけを青色点灯させることである。また、ＣＰＵ１０は、キーバックライト１４を任意の設定時間（例えば３０秒）の間、点灯させる。キーバックライト１４におけるそれぞれのキーバックライトＬＥＤ２０１（具体的にはライト２０２）において、ＲＧＢ制御部は、制御信号に従ってＲ，Ｇ，Ｂの発光素子を制御する。
【００５９】
この例では、点灯色の違いによって、ユーザに、メールに関する機能が動作している（この場合はメールの着信）ことを通知することができる。なお、メールキー６１のキーバックライトＬＥＤ２０１を青色で点灯させるのではなく、点滅させてもよい。
【００６０】
また、電話着信またはテレビ電話着信があった場合には、メールキー６１ではなく着信履歴呼び出しキー６２のキーバックライトＬＥＤ２０１を、他のキーバックライトの色と異なる色で点灯または点滅させてもよい。
【００６１】
なお、メール着信時、電話着信時またはテレビ電話着信時における情報の通知方法を説明したが、情報の本通知方法を、音を出力しない動作モードであるマナーモードに設定されているときにのみ実行可能であるようにしてもよい。一般的な携帯電話では、マナーモード設定を忘れているとき着信を受けた場合に、表示部１７への表示やバイブレータの振動による着信通知を行っていたが、本発明による情報の通知方法を使用する場合には、さらにキーの印字内容とキーバックライト１４の発色を利用して、ユーザへの着信通知を行うことができる。
【００６２】
また、メールや電話の着信時にキーバックライト１４を利用して情報を通知するだけでなく、携帯電話機１００が待ち受け状態であるときにメール着信を通知するようにしてもよい。待ち受け状態であるときに点灯表示による通知を行うことによって、新着メールや不在着信の存在をユーザに通知することができる。
【００６３】
図１０は、待ち受け状態にある携帯電話機１００に新着メールがあった場合の新着メールの通知方法を示すフローチャートである。
【００６４】
ユーザが、待ち受け状態である携帯電話機１００を開くと（ステップＳ８１）、ＣＰＵ１０は、新着メールが存在するかどうかを確認する（ステップＳ８２）。
【００６５】
ステップＳ８２において新着メールが存在した場合には、ＣＰＵ１０は、キーバックライト１４に制御信号を送る（ステップＳ８３）。制御信号の内容は、メールキー６１のキーバックライトＬＥＤ２０１以外のキーバックライトＬＥＤ２０１を設定されているキーバックライト色（例えば白色）で点灯させ、メールキー６１のキーバックライトＬＥＤ２０１だけを青色点灯させることである。また、ＣＰＵ１０は、キーバックライト１４を任意の設定時間（例えば１５秒）の間、点灯させる。キーバックライト１４におけるそれぞれのキーバックライトＬＥＤ２０１（具体的にはライト２０２）において、ＲＧＢ制御部は、制御信号に従ってＲ，Ｇ，Ｂの発光素子を制御する。そして、一定時間（例えば１５秒間）経過後にキーバックライトＬＥＤ２０１は全て消灯し（ステップＳ８５）、待ち受け状態に戻る。
【００６６】
ステップＳ８２において新着メールが存在しないことを確認した場合には、ＣＰＵ１０は、キーバックライト１４に制御信号を送る（ステップＳ８４）。制御信号の内容は、全てのキーのキーバックライトＬＥＤ２０１を設定されているキーバックライト色（例えば白色）で点灯させることである。また、ＣＰＵ１０は、キーバックライト１４を任意の設定時間（例えば１５秒）の間、点灯させる。キーバックライト１４におけるそれぞれのキーバックライトＬＥＤ２０１（具体的にはライト２０２）において、ＲＧＢ制御部は、制御信号に従ってＲ，Ｇ，Ｂの発光素子を制御する。そして、一定時間（例えば１５秒間）経過後にキーバックライトＬＥＤ２０１は全て消灯し（ステップＳ８５）、待ち受け状態に戻る。
【００６７】
また、キーバックライト１４を利用して新着メールの件数も通知するようにしてもよい。図１１は、待ち受け状態にある携帯電話機１００に新着メールがあった場合の新着メールの存在および新着メールの件数を通知する方法を示すフローチャートである。
【００６８】
ユーザが、待ち受け状態にある携帯電話機１００を開くと（ステップＳ９１）、ＣＰＵ１０は、新着メールが存在するかどうかを確認する（ステップＳ９２）。
【００６９】
ステップＳ９２において新着メールが存在しないことを確認した場合には、ＣＰＵ１０は、キーバックライト１４に制御信号を送る（ステップＳ９４）。制御信号の内容は、全てのキーのキーバックライトＬＥＤ２０１を設定されているキーバックライト色（例えば白色）で点灯させることである。また、ＣＰＵ１０は、キーバックライト１４を任意の設定時間（例えば１５秒）の間、点灯させる。キーバックライト１４におけるそれぞれのキーバックライトＬＥＤ２０１（具体的にはライト２０２）において、ＲＧＢ制御部は、制御信号に従ってＲ，Ｇ，Ｂの発光素子を制御する。そして、一定時間（例えば１５秒間）経過後にキーバックライトＬＥＤ２０１は全て消灯し（ステップＳ９７）、待ち受け状態に戻る。
【００７０】
ステップＳ９２において新着メールが存在したことを確認した場合には、ＣＰＵ１０は、新着メールの件数を確認し、新着メールの件数が、予め閾値として設定されているＮ（Ｎは正の整数で、例えばＮ＝１０とする）より多いかどうかを判定する（ステップＳ９３）。
【００７１】
ステップＳ９３において、新着メールの件数がＮ以下、例えば１０件以下であると判定した場合には、ＣＰＵ１０は、キーバックライト１４に制御信号を送る（ステップＳ９５）。制御信号の内容は、メールキー６１のキーバックライトＬＥＤ２０１以外のキーバックライトＬＥＤ２０１を設定されているキーバックライト色（例えば白色）で点灯させ、メールキー６１のキーバックライトＬＥＤ２０１だけを青色点灯させることである。また、ＣＰＵ１０は、キーバックライト１４を任意の設定時間（例えば１５秒）の間、点灯させる。キーバックライト１４におけるそれぞれのキーバックライトＬＥＤ２０１（具体的にはライト２０２）において、ＲＧＢ制御部は、制御信号に従ってＲ，Ｇ，Ｂの発光素子を制御する。そして、一定時間（例えば１５秒間）経過後にキーバックライトＬＥＤ２０１は全て消灯し（ステップＳ９７）、待ち受け状態に戻る。
【００７２】
ステップＳ９３において、新着メールの件数がＮより多いこと、例えば１１件以上である場合と判定した場合には、ＣＰＵ１０は、キーバックライト１４に制御信号を送る（ステップＳ９６）。制御信号の内容は、メールキー６１のキーバックライトＬＥＤ２０１以外のキーバックライトＬＥＤ２０１を設定されているキーバックライト色（例えば白色）で点灯させ、メールキー６１のキーバックライトＬＥＤ２０１だけを赤色点灯させることである。また、ＣＰＵ１０は、キーバックライト１４を任意の設定時間（例えば１５秒）の間、点灯させる。キーバックライト１４におけるそれぞれのキーバックライトＬＥＤ２０１（具体的にはライト２０２）において、ＲＧＢ制御部は、制御信号に従ってＲ，Ｇ，Ｂの発光素子を制御する。そして、一定時間（例えば１５秒間）経過後にキーバックライトＬＥＤ２０１は全て消灯し（ステップＳ９７）、待ち受け状態に戻る。
【００７３】
ステップＳ９４〜Ｓ９６の処理で点灯されたキーバックライトＬＥＤ２０１は一定時間（例えば１５秒間）点灯し続ける。その後、キーバックライトＬＥＤ２０１は全て消灯し、待ち受け状態に戻る。
【００７４】
図１０および図１１を参照してメールキー６１のキーバックライトＬＥＤ２０１を利用して新着メールに関する通知方法の一例を説明したが、電話の不在着信があった場合に、メールキー６１の代わりに着信履歴呼び出しキー６２のキーバックライトＬＥＤ２０１を点灯させることによって、不在着信の有無や不在着信の件数を通知するようにしてもよい。
【００７５】
なお、上記の説明では、キーバックライトＬＥＤ２０１を点灯させる場合でも、点滅させる場合でも、１つのキーバックライトＬＥＤ２０１の発色を、他のキーバックライトＬＥＤ２０１の発色と異ならせることによって、ユーザに情報が通知された。しかし、複数のキーバックライトＬＥＤ２０１を発光させ、しかも発光するキーバックライトＬＥＤ２０１の数を変化させて特定の情報を通知するようにしてもよい。
【００７６】
図１２は、発光するキーバックライトＬＥＤ２０１の数を変化させて特定の情報を通知する場合の点灯パターンの一例を示す説明図である。図１２において、白色で示されているキーのキーバックライトＬＥＤ２０１は白色点灯し、一方向の斜線で示されているキーのキーバックライトＬＥＤ２０１は水色点灯し、二方向の斜線で示されているキー（図１２においてはメールキー６１だけ）のキーバックライトＬＥＤ２０１は青色点灯していることを表している。また、図１２（Ａ）〜（Ｃ）は、時間経過に伴う点灯状況の変化を示している。
【００７７】
情報として新着メールがあったことを通知する場合を例にする。この例では、新着メールがあった場合には、メールキー６１のキーバックライトＬＥＤ２０１だけを青色点灯させ、他の全てのキーバックライトＬＥＤ２０１を白色点灯させる。一定時間（例えば２００ｍｓ）が経過した後、図１２（Ａ）に示される点灯状況に遷移する。図１２（Ａ）に示される状況では、メールキー６１のキーバックライトＬＥＤ２０１は青色で、メールキー６１近傍の３つのキーのキーバックライトＬＥＤ２０１が水色で、残りのキーのキーバックライトＬＥＤ２０１は白色で点灯している。
【００７８】
さらに、一定時間（例えば２００ｍｓ）が経過すると、図１２（Ｂ）に示される点灯状況に遷移する。図１２（Ｂ）に示される状況では、青色点灯に対応するキーバックライトＬＥＤ２０１のキーはメールキー６１だけであるが、水色点灯するキーバックライトＬＥＤ２０１の数は、図１２（Ａ）に示される状況に較べると、メールキー６１の近傍において複数に増えている。
【００７９】
さらに、一定時間（例えば２００ｍｓ）が経過すると、図１２（Ｃ）に示される点灯状況に遷移する。図１２（Ｃ）に示される状況では、青色点灯に対応するキーバックライトＬＥＤ２０１のキーはメールキー６１だけであるが、水色点灯するキーバックライトＬＥＤ２０１の数は、図１２（Ｂ）に示される状況に較べると、メールキー６１の近傍においてさらに増えている。
【００８０】
図１２（Ｃ）に示される点灯状況の後も、一定時間経過ごとに水色点灯するキーバックライトＬＥＤ２０１を増やしていき、最終的には、メールキー６１以外のキーのキーバックライトＬＥＤ２０１を全て水色点灯させる。同一色で点灯する近傍のキーバックライトＬＥＤ２０１の数を除々に増やすことによって、メールキー６１を目立たせる。なお、点灯開始から最終的な点灯状況までの流れを１サイクルとし、サイクルを繰り返すようにしてもよい。
【００８１】
以上に説明したように、ユーザに認識させたいキーの近傍において点灯するキーバックライトＬＥＤ２０１の数を増やしていくことによって、ユーザに発光面積が徐々に変化するように印象を与えることができ、より効果的にユーザに情報を通知することができる。
【００８２】
上記の説明では、複数のキーバックライトＬＥＤ２０１を発光させ、しかも発光するキーバックライトＬＥＤ２０１の数を変化させることによってユーザに情報が通知された。しかし、発光するキーバックライトＬＥＤ２０１の数を変化させるだけでなく、それぞれのキーバックライトＬＥＤ２０１の輝度を変化させて、ユーザに情報を通知してもよい。
【００８３】
図４に示されたライト２０２において、ＲＧＢ制御部が、Ｒ，Ｇ，Ｂの発光素子に流れる電流値を変更すると、キーバックライトＬＥＤ２０１の輝度が変わる。特定の電流値の範囲内において、通常使用時の電流値より高い電流値を示す電流をＲ，Ｇ，Ｂの発光素子に流すと、キーバックライトＬＥＤ２０１は通常輝度よりも明るく（高輝度で）発光する。特定の電流値の範囲内において、通常使用時の電流値より低い電流値を示す電流をＲ，Ｇ，Ｂの発光素子に流すと、キーバックライトＬＥＤ２０１は通常輝度よりも暗く（低輝度で）発光する。
【００８４】
例えば、図１２に示されたキーバックライトＬＥＤ２０１の点灯パターンの一例を利用して、キーバックライトＬＥＤ２０１の輝度の変化のパターンの一例を説明する。情報として新着メールがあったことを通知する場合には、メールキー６１のキーバックライトＬＥＤ２０１だけを青色点灯させ、他の全てのキーバックライトＬＥＤ２０１を白色通常輝度または低輝度で発光させる。一定時間（例えば２００ｍｓ）が経過した後、図１２において、二方向の斜線で示されているキー（図１２においてはメールキー６１だけ）のキーバックライトＬＥＤ２０１だけを白色高輝度で発光させ、その他のキーバックライトＬＥＤ２０１を白色通常輝度または白色低輝度で発光させる。すると、メールキー６１だけが他の操作キーよりも明るく照光されるので、ユーザは情報を認識することができる。なお、通常輝度とは、あらかじめ決められている所定の輝度であり、その輝度よりも低い輝度が低輝度であり、その輝度よりも高い輝度が高輝度である。
【００８５】
また、図１２において、白色で示されているキーのキーバックライトＬＥＤ２０１を低輝度で発光させ、一方向の斜線で示されているキーのキーバックライトＬＥＤ２０１を通常輝度で発光させ、二方向の斜線で示されているキー（図１２においてはメールキー６１だけ）のキーバックライトＬＥＤ２０１を高輝度で発光させてもよい。ＣＰＵ１０は、メールキー６１が高輝度で照光され、一定時間経過ごとに、低輝度で発光するキーバックライトＬＥＤ２０１の数が減り、通常輝度で発光するキーバックライトＬＥＤ２０１の数が、メールキー６１の近傍において増えていくように制御する。高輝度で照光されるメールキー６１の近傍において複数のキーバックライトＬＥＤ２０１の輝度が低輝度から通常輝度に変化するので、ユーザは情報を認識することができる。
【００８６】
また、ＣＰＵ１０は、メールキー６１の近傍において、一定時間が経過するごとに、通常輝度で発光するキーバックライトＬＥＤ２０１の数を減らし、低輝度で発光するキーバックライトＬＥＤ２０１の数を増やすように制御してもよい。高輝度で照光されるメールキー６１が浮き上がるように複数のキーバックライトＬＥＤ２０１の輝度が通常輝度から低輝度に変化するので、ユーザは情報を認識することができる。
【００８７】
なお、Ｒ，Ｇ，Ｂの発光素子へ流す電流値を制御することによって、キーバックライトＬＥＤ２０１の輝度を、複数段階に変更することが可能である。高輝度から低輝度に向かって、または低輝度から高輝度に向かって段階的に輝度を変更することによって、ユーザに情報を通知してもよい。
【００８８】
また、以上の説明では、数字キーまたは記号キーを利用して情報を通知する方法を説明したが、数字キーと記号キーとの両方を利用してユーザに情報を通知してもよい。また、発色は、上記の各例における色に限定されず、ＲＧＢの３種の発光素子が作り出すことのできる色であればいかなる色であってもよい。
【００８９】
さらに、使用する発光素子の組み合わせは、ＲＧＢ３種の発光素子の組み合わせに限定されず、ユーザが差異を感じることができる複数の色を発光できる発光素子の組み合わせであればよい。
【００９０】
図１３は、本発明による携帯電話機の主要構成の関係を示すブロック図である。図１３に示すように、本発明による携帯電話機は、複数の操作キー３１，３２のそれぞれに対応して設けられ、それぞれの操作キー３１，３２を照光するキーバックライト発光部４１，４２と、キーバックライト発光部４１，４２に対して点灯色を指示する制御信号を出力する制御部５とを備え、キーバックライト発光部４１，４２は、それぞれ、発色が異なる複数の発光素子４１１，４２１と、制御部５からの制御信号に応じて複数の発光素子４１１，４２１の点灯制御を行う点灯制御部４１２，４２２とを含み、制御部５は、１つまたは複数の操作キー（例えば、操作キー３１）に対応するキーバックライト発光部（例えば、キーバックライト発光部４１）に特定色で点灯させる制御信号を出力し、特定色で点灯させるキーバックライト発光部以外のキーバックライト発光部（例えば、キーバックライト発光部４２）に、特定色以外の色で点灯させる制御信号を出力する。
【産業上の利用可能性】
【００９１】
本発明を、キーを照光するキーバックライトを備えた携帯電話に対して適用することができる。
【図面の簡単な説明】
【００９２】
【図１】本発明による携帯電話機の一実施形態における回路構成の要部を示すブロック図である。
【図２】開いた状態における折り畳み型の携帯電話機の外観を示す説明図である。
【図３】キーバックライトＬＥＤの実装位置の一例が明示された携帯電話機の外観を示す説明図である。
【図４】本実施形態におけるライトの構成の一例を示す説明図である。
【図５】アラーム動作における処理を示すフローチャートである。
【図６】通話終了後の通話時間情報を通知する方法を示すフローチャートである。
【図７】図６におけるステップＳ４６の処理例を示す説明図である。
【図８】記号キーの位置が明示された携帯電話機の外観を示す説明図である。
【図９】メール着信時の点灯パターンの一例を表す説明図である。
【図１０】待ち受け状態にある携帯電話機に新着メールがあった場合の新着メールの通知方法を示すフローチャートである。
【図１１】待ち受け状態にある携帯電話機に新着メールがあった場合の新着メールの存在および新着メールの件数を通知する方法を示すフローチャートである。
【図１２】発光するキーバックライトＬＥＤの数を変化させて特定の情報を通知する場合の点灯パターンの一例を示す説明図である。
【図１３】本発明による携帯電話機の主要構成の関係を示すブロック図である。
【符号の説明】
【００９３】
５    制御部
１０  ＣＰＵ
１１  ＲＯＭ
１２  ＲＡＭ
１３  無線機送受信部
１４  キーバックライト
１５  キー入力部
１６  表示制御部
１７  表示部
１８  マイクロフォン
１９  スピーカ
２０  レシーバ
３１，３２  操作キー
４１，４２  キーバックライト発光部
４１１，４２１  発光素子
４１２，４２２  点灯制御部
６１  メールキー
６２  着信履歴呼び出しキー
６３  発信履歴呼び出しキー
１００  携帯電話機
２０１  キーバックライトＬＥＤ
２０２  ライト
【図１】
2010041518.tif 000003
【図２】
2010041518.tif 000004
【図３】
2010041518.tif 000005
【図４】
2010041518.tif 000006
【図５】
2010041518.tif 000007
【図６】
2010041518.tif 000008
【図７】
2010041518.tif 000009
【図８】
2010041518.tif 000010
【図９】
2010041518.tif 000011
【図１０】
2010041518.tif 000012
【図１１】
2010041518.tif 000013
【図１２】
2010041518.tif 000014
【図１３】
2010041518.tif 000015